(57)【要約】      （修正有）【課題】太ももの付け根を超える丈のショーツにおいて、裾部分の着くずれを効果的に防止することができるボトム衣類を提供する。【解決手段】裾周り形成部材１０４Ａ及びＢ並びに後裾周り形成部材１０５Ａ及びＢの各マチ側裾周り形成接合辺どうし、及び脇側裾周り形成接合辺どうしが接合されて、着用者が左右の足を挿通すべき筒状部が形成され、脇側裾周り形成接合辺（Ｆ）及びマチ側裾回り形成接合辺（Ｅ）の長さは、前記筒状部の下側端縁が着用時において少なくとも太ももの付け根を覆う長さとなるようにそれぞれ設定されており、前記後身頃側部接合辺（Ｊ）及び前記後身頃部材対応接合辺（Ｈ）の少なくとも一方の辺の一部が、外側に突出した曲線であることを特徴とする。【選択図】図１
2015212436.tif 000002
【特許請求の範囲】
【請求項１】
ボトム衣類であって、
前身頃部材、後身頃部材、マチ部材、一対の前裾周り形成部材、及び一対の後裾周り形成部材を含み、
前記前身頃部材は、後端部に後端部接合辺（Ａ）を有し、
前記マチ部材は、前端部に、前記後端部接合辺（Ａ）に対応する前端部接合辺（Ｂ）を有し、両側部にそれぞれマチ部材側部接合辺（Ｃ）を有し、
前記後身頃部材は、両側部にそれぞれ後身頃側部接合辺（Ｊ）を有し、
前記前裾周り形成部材は、前記マチ部材側部接合辺（Ｃ）に対応するマチ部材対応接合辺（Ｄ）を有し、
前記後裾周り形成部材は、前記後身頃側部接合辺（Ｊ）に対応する後身頃部材対応接合辺（Ｈ）を有し、
前記対応する各接合辺どうしが接合されており、
さらに、前記前裾周り形成部材及び前記後裾周り形成部材は、それぞれマチ側裾周り形成接合辺（Ｅ）、及び前記マチ側裾回り形成接合辺（Ｅ）に対向する脇側裾周り形成接合辺（Ｆ）を有しており、前記前裾周り形成部材及び前記後裾周り形成部材の各マチ側裾周り形成接合辺どうし、及び脇側裾周り形成接合辺どうしが接合されて、着用者が左右の足を挿通すべき筒状部が形成され、
前記脇側裾周り形成接合辺（Ｆ）及び前記マチ側裾回り形成接合辺（Ｅ）の長さは、前記筒状部の下側端縁が着用時において少なくとも太ももの付け根を覆う長さとなるようにそれぞれ設定されており、
前記後身頃側部接合辺（Ｊ）及び前記後身頃部材対応接合辺（Ｈ）の少なくとも一方の辺の一部が、外側に突出した曲線であることを特徴とする
ボトム衣類。
【請求項２】
ボトム衣類であって、
一対の前裾周り形成部材、後身頃部材、マチ部材、及び一対の後裾周り形成部材を含み、
前記マチ部材は、前端部及び側部にかけての辺の少なくとも一部に、マチ部材接合辺（Ｏ）を有し、
前記後身頃部材は、両側部にそれぞれ後身頃側部接合辺（Ｊ）を有し、
前記前裾周り形成部材は、前記マチ部材接合辺（Ｏ）に対応するマチ部材対応接合辺（Ｐ）を有し、
前記後裾周り形成部材は、前記後身頃側部接合辺（Ｊ）に対応する後身頃部材対応接合辺（Ｈ）を有し、
前記対応する各接合辺どうしが接合されており、
さらに、前記前裾周り形成部材及び前記後裾周り形成部材は、それぞれマチ側裾周り形成接合辺（Ｅ）、及び前記マチ側裾周り形成接合辺（Ｅ）に対向する脇側裾周り形成接合辺（Ｆ）を有しており、前記前裾周り形成部材及び前記後裾周り形成部材の各マチ側裾周り形成接合辺（Ｅ）どうし、及び脇側裾周り形成接合辺（Ｆ）どうしが接合されて、着用者が左右の足を挿通すべき筒状部が形成され、
前記脇側裾回り形成接合辺（Ｆ）及び前記マチ側裾回り形成接合辺（Ｅ）の長さは、前記筒状部の下側端縁が着用時において少なくとも太ももの付け根を覆う長さとなるようにそれぞれ設定されており、
前記後身頃側部接合辺（Ｊ）及び前記後身頃部材対応接合辺（Ｈ）の少なくとも一方の辺の一部が、外側に突出した曲線であることを特徴とする
ボトム衣類。
【請求項３】
ボトム衣類であって、
後身頃部材、マチ部材、及び一対の裾周り形成部材を含み、
前記マチ部材は、前端部及び側部にかけての辺の少なくとも一部に、マチ部材接合辺（Ｏ）を有し、
前記後身頃部材は、両側部にそれぞれ後身頃側部接合辺（Ｊ）を有し、
前記裾周り形成部材は、前記マチ部材接合辺（Ｏ）に対応するマチ部材対応接合辺（Ｐ）を有し、かつ前記後身頃側部接合辺（Ｊ）に対応する後身頃部材対応接合辺（Ｈ）を有し、
前記対応する各接合辺どうしが接合されており、
さらに、前記裾周り形成部材は、裾周りを形成するための対向する二つの裾周り形成接合辺（Ｑ）を有しており、前記二つの裾周り形成接合辺（Ｑ）は、接合されて、着用者が左右の足を挿通すべき筒状部が形成され、
前記二つの裾周り形成接合辺（Ｑ）の長さは、前記筒状部の下側端縁が着用時において少なくとも太ももの付け根を覆う長さとなるようにそれぞれ設定されており、
前記後身頃側部接合辺（Ｊ）及び前記後身頃部材対応接合辺（Ｈ）の少なくとも一方の辺の一部が、外側に突出した曲線であることを特徴とする
ボトム衣類。
【請求項４】
ボトム衣類であって、
前身頃部材、後身頃部材、マチ部材、一対の前裾周り形成部材、及び一対の後裾周り形成部材を含み、
前記マチ部材は、前端部にマチ部材前端部接合辺（ａ）を有し、
前記前身頃部材は、後端部に前記マチ部材前端部接合辺（ａ）の中央部に対応する後端部接合辺（ｂ）を有し、
前記後身頃部材は、両側部にそれぞれ後身頃側部接合辺（Ｊ）を有し、
前記前裾周り形成部材は、前記マチ部材前端部接合辺（ａ）の端部に対応するマチ部材対応接合辺（ｃ）を有し、
前記後裾周り形成部材は、前記後身頃側部接合辺（Ｊ）に対応する後身頃部材対応接合辺（Ｈ）を有し、
前記対応する各接合辺どうしが接合されており、
さらに、前記マチ部材及び後裾周り形成部材は、それぞれマチ側裾周り形成接合辺（ｄ）を有し、かつ前記前裾周り形成部材及び前記後裾周り形成部材は、それぞれ脇側裾周り形成接合辺（Ｆ）を有しており、
前記マチ部材及び前記後裾周り形成部材の各マチ側裾周り形成接合辺（ｄ）どうし、及び前記前裾周り形成部材及び前記後裾周り形成部材の各脇側裾周り形成接合辺（Ｆ）どうしが接合されて、着用者が左右の脚を挿通すべき筒状部が形成され、
前記脇側裾周り形成接合辺（Ｆ）、前記マチ側裾周り形成接合辺（ｄ）、及び前記マチ部材前端部接合辺（ａ）の長さは、前記筒状部の下側端縁が着用時において少なくとも太ももの付け根部分を覆う長さとなるようにそれぞれ設定されており、
前記後身頃側部接合辺（Ｊ）、及び前記後身頃部材対応接合辺（Ｈ）の少なくとも一方の辺の一部が、外側に突出した曲線であることを特徴とする
ボトム衣類。
【請求項５】
ボトム衣類であって、
一対の前裾周り形成部材、後身頃部材、マチ部材、及び一対の後裾周り形成部材を含み、
前記マチ部材は、前端部にマチ部材前端部接合辺（ａ）を有し、
前記後身頃部材は、両側部にそれぞれ後身頃側部接合辺（Ｊ）を有し、
前記前裾周り形成部材は、前記マチ部材前端部接合辺（ａ）に対応するマチ部材対応接合辺（ｆ）を有し、
前記後裾周り形成部材は、前記後身頃側部接合辺（Ｊ）に対応する後身頃部材対応接合辺（Ｈ）を有し、
前記対応する各接合辺どうしが接合されており、
さらに、前記マチ部材及び前記後裾周り形成部材は、それぞれマチ側裾周り形成接合辺（ｄ）を有し、かつ前記前裾周り形成部材及び前記後裾周り形成部材は、それぞれ脇側裾周り形成接合辺（Ｆ）を有しており、
前記マチ部材及び前記後裾周り形成部材の各マチ側裾周り形成接合辺（ｄ）どうし、前記前裾周り形成部材及び前記後裾周り形成部材の各脇側裾周り形成接合辺（Ｆ）どうし、及び前記マチ部材前端部接合辺（ａ）と前記マチ部材対応接合辺（ｆ）とが接合され、着用者が左右の脚を挿通すべき筒状部が形成され、
前記脇側裾周り形成接合辺（Ｆ）、前記マチ側裾周り形成接合辺（ｄ）、及び前記マチ部材前端部接合辺（ａ）の長さは、前記筒状部の下側端縁が着用時において少なくとも太ももの付け根部分を覆う長さとなるようにそれぞれ設定されており、
前記後身頃側部接合辺（Ｊ）、及び前記後身頃部材対応接合辺（Ｈ）の少なくとも一方の辺の一部が、外側に突出した曲線であることを特徴とする
ボトム衣類。
【請求項６】
ボトム衣類であって、
一対の裾周り形成部材、後身頃部材、及びマチ部材を含み、
前記マチ部材は、前端部にマチ部材前端部接合辺（ａ）を有し、
前記後身頃部材は、両側部にそれぞれ後身頃側部接合辺（Ｊ）を有し、
前記裾周り形成部材は、前記マチ部材前端部接合辺（ａ）に対応するマチ部材対応接合辺（ｆ）を有し、かつ前記後身頃側部接合辺（Ｊ）に対応する後身頃部材対応接合辺（Ｈ）を有し、
前記対応する各接合辺どうしが接合されており、
さらに、前記マチ部材及び前記裾周り形成部材は、それぞれ裾周り形成接合辺（ｄ）を有しており、前記各裾周り形成接合辺（ｄ）どうしが接合され、着用者が脚を挿通すべき筒状部が形成され、
前記マチ部材対応接合辺（ｆ）及び前記各裾周り形成接合辺（ｄ）の長さは、前記筒状部の下側端縁が着用時において少なくとも太ももの付け根を覆う長さとなるように設定されており、
前記後身頃側部接合辺（Ｊ）、及び前記後身頃部材対応接合辺（Ｈ）の少なくとも一方の辺の一部が、外側に突出した曲線であることを特徴とする
ボトム衣類。
【請求項７】
ボトム衣類であって、
マチ及び前身頃一体部材、後身頃部材、一対の前裾周り形成部材、及び一対の後裾周り形成部材を含み、
前記マチ及び前身頃一体部材は、両側部の少なくとも一部に側部接合辺（Ｓ）を有し、
前記後身頃部材は、両側部にそれぞれ後身頃側部接合辺（Ｊ）を有し、
前記前裾周り形成部材は、前記側部接合辺（Ｓ）に対応する一体部材対応接合辺（Ｔ）を有し、
前記後裾周り形成部材は、前記後身頃側部接合辺（Ｊ）に対応する後身頃部材対応接合辺（Ｈ）を有し、
前記対応する各接合辺どうしが接合されており、
さらに、前記前裾周り形成部材及び後裾周り形成部材は、それぞれマチ側裾周り形成接合辺（Ｅ）、及び前記マチ側裾回り形成接合辺（Ｅ）に対向する脇側裾周り形成接合辺（Ｆ）を有しており、前記前裾周り形成部材及び後裾周り形成部材の各マチ側裾周り形成接合辺どうし、及び脇側裾周り形成接合辺どうしが接合されて、着用者が左右の足を挿通すべき筒状部が形成され、
前記の脇側裾周り形成接合辺（Ｆ）及び前記マチ側裾回り形成接合辺（Ｅ）の長さは、前記筒状部の下側端縁が着用時において少なくとも太ももの付け根を覆う長さとなるようにそれぞれ設定されており、
前記後身頃側部接合辺（Ｊ）及び前記後身頃部材対応接合辺（Ｈ）の少なくとも一方の辺の一部が、外側に突出した曲線であることを特徴とする
ボトム衣類。
【請求項８】
前記各部材が接合された状態の立体形状とした場合、前記脇側裾周り形成接合辺（Ｆ）における、脇側上端から少なくとも太ももの付け根部分に相当する部分が略直線状である請求項１〜２、４〜５、及び７のいずれか一項に記載のボトム衣類。
【請求項９】
前記各部材が接合された状態の立体形状とした場合、前記脇側裾周り形成接合辺（Ｆ）において、太ももの付け根部分より下側が互いに出っ張っている形状である請求項１〜２、４〜５、及び７のいずれか一項に記載のボトム衣類。
【請求項１０】
前記裾周り形成接合辺が接合された場合に裾周りを形成する裾周り形成辺の少なくとも一部が、前記形成辺に対して略垂直方向に、スリットが形成されている請求項３又は６記載のボトム衣類。
【請求項１１】
前記後身頃側部接合辺（Ｊ）、及び前記後身頃対応接合辺（Ｈ）の両辺の一部が、外側に突出した曲線である請求項１から１０のいずれか一項に記載のボトム衣類。
【請求項１２】
前記各部材の少なくとも二つの部材が一体的に形成されている請求項１〜１１のいずれか一項に記載のボトム衣類。
【請求項１３】
前記各部材の少なくとも一つの部材が、分離された複数の子部材から構成されており、前記複数の子部材を一体的に形成した場合、前記部材を構成する請求項１〜１２のいずれか一項に記載のボトム衣類。
【発明の詳細な説明】
【技術分野】
【０００１】
本発明は、ボトム衣類に関する。
【背景技術】
【０００２】
従来、ショーツ等のボトム衣類には、裾のずり上がり、食い込み、及びめくれ等の、裾部分の着くずれが生じやすいという問題があった。ショーツ等の裾がずり上がったり、食い込んだりすると、着用者に不快感を与え、また、ヒップラインのシルエットが悪くなる。特に、太ももの付け根を超えて丈がある、いわゆる一分丈ショーツにおいて問題となる。
【０００３】
ショーツの裾の食い込みを防止するための技術として、前身頃部と後身頃部と、前身頃部及び後身頃部との間に配備される略馬蹄形状の介在布部材とからなるパンティにおいて、介在布部材は、所定間隔を開いた側面襠用広幅部と、この両側側面襠用広幅部を下部で連続させる包み込み用細幅部とを有し、この介在布部材によって、パンティ全体が尻形態に合致するよう形成する技術が提案されている（特許文献１参照）。
【先行技術文献】
【特許文献】
【０００４】
【特許文献１】特開平６−５４７０４号公報
【発明の概要】
【発明が解決しようとする課題】
【０００５】
しかし、前記技術では、着用して動いているうちに裾がずり上がってきてしまい、裾部分の着くずれを防止するには不十分であった。
【０００６】
そこで、本発明は、太ももの付け根を超える丈のショーツにおいて、裾部分の着くずれを効果的に防止することができるボトム衣類を提供することを目的とする。
【課題を解決するための手段】
【０００７】
前記目的を達成するために、本発明の第１のボトム衣類は、
前身頃部材、後身頃部材、マチ部材、一対の前裾周り形成部材、及び一対の後裾周り形成部材を含み、
前記前身頃部材は、後端部に後端部接合辺（Ａ）を有し、
前記マチ部材は、前端部に、前記後端部接合辺（Ａ）に対応する前端部接合辺（Ｂ）を有し、両側部にそれぞれマチ部材側部接合辺（Ｃ）を有し、
前記後身頃部材は、両側部にそれぞれ後身頃側部接合辺（Ｊ）を有し、
前記前裾周り形成部材は、前記マチ部材側部接合辺（Ｃ）に対応するマチ部材対応接合辺（Ｄ）を有し、
前記後裾周り形成部材は、前記後身頃側部接合辺（Ｊ）に対応する後身頃部材対応接合辺（Ｈ）を有し、
前記対応する各接合辺どうしが接合されており、
さらに、前記前裾周り形成部材及び後裾周り形成部材は、それぞれマチ側裾周り形成接合辺（Ｅ）、及び前記マチ側裾回り形成接合辺（Ｅ）に対向する脇側裾周り形成接合辺（Ｆ）を有しており、前記前裾周り形成部材及び後裾周り形成部材の各マチ側裾周り形成接合辺どうし、及び脇側裾周り形成接合辺どうしが接合されて、着用者が左右の足を挿通すべき筒状部が形成され、
前記脇側裾周り形成接合辺（Ｆ）及び前記マチ側裾回り形成接合辺（Ｅ）の長さは、前記筒状部の下側端縁が着用時において少なくとも太ももの付け根を覆う長さとなるようにそれぞれ設定されており、
前記後身頃側部接合辺（Ｊ）及び前記後身頃部材対応接合辺（Ｈ）の少なくとも一方の辺の一部が、外側に突出した曲線であることを特徴とする。
【０００８】
前記目的を達成するために、本発明の第２のボトム衣類は、
一対の前裾周り形成部材、後身頃部材、マチ部材、及び一対の後裾周り形成部材を含み、
前記マチ部材は、前端部及び側部にかけての辺の少なくとも一部に、マチ部材接合辺（Ｏ）を有し、
前記後身頃部材は、両側部にそれぞれ後身頃側部接合辺（Ｊ）を有し、
前記前裾周り形成部材は、前記マチ部材接合辺（Ｏ）に対応するマチ部材対応接合辺（Ｐ）を有し、
前記後裾周り形成部材は、前記後身頃側部接合辺（Ｊ）に対応する後身頃部材対応接合辺（Ｈ）を有し、
前記対応する各接合辺どうしが接合されており、
さらに、前記前裾周り形成部材及び前記後裾周り形成部材は、それぞれマチ側裾周り形成接合辺（Ｅ）、及び前記マチ側裾周り形成接合辺（Ｅ）に対向する脇側裾周り形成接合辺（Ｆ）を有しており、前記前裾周り形成部材及び前記後裾周り形成部材の各マチ側裾周り形成接合辺（Ｅ）どうし、及び脇側裾周り形成接合辺（Ｆ）どうしが接合されて、着用者が左右の足を挿通すべき筒状部が形成され、
前記脇側裾回り形成接合辺（Ｆ）及び前記マチ側裾回り形成接合辺（Ｅ）の長さは、前記筒状部の下側端縁が着用時において少なくとも太ももの付け根を覆う長さとなるようにそれぞれ設定されており、
前記後身頃側部接合辺（Ｊ）及び前記後身頃部材対応接合辺（Ｈ）の少なくとも一方の辺の一部が、外側に突出した曲線であることを特徴とする。
【０００９】
前記目的を達成するために、本発明の第３のボトム衣類は、
後身頃部材、マチ部材、及び一対の裾周り形成部材を含み、
前記マチ部材は、前端部及び側部にかけての辺の少なくとも一部に、マチ部材接合辺（Ｏ）を有し、
前記後身頃部材は、両側部にそれぞれ後身頃側部接合辺（Ｊ）を有し、
前記裾周り形成部材は、前記マチ部材接合辺（Ｏ）に対応するマチ部材対応接合辺（Ｐ）を有し、かつ前記後身頃側部接合辺（Ｊ）に対応する後身頃部材対応接合辺（Ｈ）を有し、
前記対応する各接合辺どうしが接合されており、
さらに、前記裾周り形成部材は、裾周りを形成するための対向する二つの裾周り形成接合辺（Ｑ）を有しており、前記二つの裾周り形成接合辺（Ｑ）は、接合されて、着用者が左右の足を挿通すべき筒状部が形成され、
前記二つの裾周り形成接合辺（Ｑ）の長さは、前記筒状部の下側端縁が着用時において少なくとも太ももの付け根を覆う長さとなるようにそれぞれ設定されており、
前記後身頃側部接合辺（Ｊ）及び前記後身頃部材対応接合辺（Ｈ）の少なくとも一方の辺の一部が、外側に突出した曲線であることを特徴とする。
【００１０】
前記目的を達成するために、本発明の第４のボトム衣類は、
前身頃部材、後身頃部材、マチ部材、一対の前裾周り形成部材、及び一対の後裾周り形成部材を含み、
前記マチ部材は、前端部にマチ部材前端部接合辺（ａ）を有し、
前記前身頃部材は、後端部に前記マチ部材前端部接合辺（ａ）の中央部に対応する後端部接合辺（ｂ）を有し、
前記後身頃部材は、両側部にそれぞれ後身頃側部接合辺（Ｊ）を有し、
前記前裾周り形成部材は、前記マチ部材前端部接合辺（ａ）の端部に対応するマチ部材対応接合辺（ｃ）を有し、前記後裾周り形成部材は、前記後身頃側部接合辺（Ｊ）に対応する後身頃部材対応接合辺（Ｈ）を有し、
前記対応する各接合辺どうしが接合されており、
さらに、前記マチ部材及び前記後裾周り形成部材は、それぞれマチ側裾周り形成接合辺（ｄ）を有し、かつ前記前裾周り形成部材及び前記後裾周り形成部材は、それぞれ脇側裾周り形成接合辺（Ｆ）を有しており、
前記マチ部材及び前記後裾周り形成部材の各マチ側裾周り形成接合辺（ｄ）どうし、及び前記前裾周り形成部材及び前記後裾周り形成部材の各脇側裾周り形成接合辺（Ｆ）どうしが接合されて、着用者が左右の脚を挿通すべき筒状部が形成され、
前記脇側裾周り形成接合辺（Ｆ）、前記マチ側裾周り形成接合辺（ｄ）、及び前記マチ部材前端部接合辺（ａ）の長さは、前記筒状部の下側端縁が着用時において少なくとも太ももの付け根部分を覆う長さとなるようにそれぞれ設定されており、
前記後身頃側部接合辺（Ｊ）、及び前記後身頃部材対応接合辺（Ｈ）の少なくとも一方の辺の一部が、外側に突出した曲線であることを特徴とする。
【００１１】
前記目的を達成するために、本発明の第５のボトム衣類は、
一対の前裾周り形成部材、後身頃部材、マチ部材、及び一対の後裾周り形成部材を含み、
前記マチ部材は、前端部にマチ部材前端部接合辺（ａ）を有し、
前記後身頃部材は、両側部にそれぞれ後身頃側部接合辺（Ｊ）を有し、
前記前裾周り形成部材は、前記マチ部材前端部接合辺（ａ）に対応するマチ部材対応接合辺（ｆ）を有し、
前記後裾周り形成部材は、前記後身頃側部接合辺（Ｊ）に対応する後身頃部材対応接合辺（Ｈ）を有し、
前記対応する各接合辺どうしが接合されており、
さらに、前記マチ部材及び前記後裾周り形成部材は、それぞれマチ側裾周り形成接合辺（ｄ）を有し、かつ前記前裾周り形成部材及び前記後裾周り形成部材は、それぞれ脇側裾周り形成接合辺（Ｆ）を有しており、
前記マチ部材及び前記後裾周り形成部材の各マチ側裾周り形成接合辺（ｄ）どうし、及び前記前裾周り形成部材及び前記後裾周り形成部材の各脇側裾周り形成接合辺（Ｆ）どうし、及び前記マチ部材前端部接合辺（ａ）と前記マチ部材対応接合辺（ｆ）とが接合され、着用者が左右の脚を挿通すべき筒状部が形成され、
前記脇側裾周り形成接合辺（Ｆ）、前記マチ側裾周り形成接合辺（ｄ）、及び前記マチ部材前端部接合辺（ａ）の長さは、前記筒状部の下側端縁（Ｇ、Ｇ´、Ｇ´´）が着用時において少なくとも太ももの付け根部分を覆う長さとなるようにそれぞれ設定されており、
前記後身頃側部接合辺（Ｊ）、及び前記後身頃部材対応接合辺（Ｈ）の少なくとも一方の辺の一部が、外側に突出した曲線であることを特徴とする。
【００１２】
前記目的を達成するために、本発明の第６のボトム衣類は、
一対の裾周り形成部材、後身頃部材、及びマチ部材を含み、
前記マチ部材は、前端部にマチ部材前端部接合辺（ａ）を有し、
前記後身頃部材は、両側部にそれぞれ後身頃側部接合辺（Ｊ）を有し、
前記裾周り形成部材は、前記マチ部材前端部接合辺（ａ）に対応するマチ部材対応接合辺（ｆ）を有し、かつ前記後身頃側部接合辺（Ｊ）に対応する後身頃部材対応接合辺（Ｈ）を有し、
前記対応する各接合辺どうしが接合されており、
さらに、前記マチ部材及び前記裾周り形成部材は、それぞれ裾周り形成接合辺（ｄ）を有しており、前記各裾周り形成接合辺（ｄ）どうしが接合され、着用者が脚を挿通すべき筒状部が形成され、
前記マチ部材対応接合辺（ｆ）及び前記各裾周り形成接合辺（ｄ）の長さは、前記筒状部の下側端縁（Ｇ、Ｇ´、Ｇ´´）が着用時において少なくとも太ももの付け根を覆う長さとなるように設定されており、
前記後身頃側部接合辺（Ｊ）、及び前記後身頃部材対応接合辺（Ｈ）の少なくとも一方の辺の一部が、外側に突出した曲線であることを特徴とする。
【００１３】
前記目的を達成するために、本発明の第７のボトム衣類は、
マチ及び前身頃一体部材、後身頃部材、一対の前裾周り形成部材、及び一対の後裾周り形成部材を含み、
前記マチ及び前身頃一体部材は、両側部に側部接合辺（Ｓ）を有し、
前記後身頃部材は、両側部にそれぞれ後身頃側部接合辺（Ｊ）を有し、
前記前裾周り形成部材は、前記側部接合辺（Ｓ）に対応する一体部材対応接合辺（Ｔ）を有し、
前記後裾周り形成部材は、前記後身頃側部接合辺（Ｊ）に対応する後身頃部材対応接合辺（Ｈ）を有し、
前記対応する各接合辺どうしが接合されており、
さらに、前記前裾周り形成部材及び後裾周り形成部材は、それぞれマチ側裾周り形成接合辺（Ｅ）、及び前記マチ側裾回り形成接合辺（Ｅ）に対向する脇側裾周り形成接合辺（Ｆ）を有しており、前記前裾周り形成部材及び後裾周り形成部材の各マチ側裾周り形成接合辺どうし、及び脇側裾周り形成接合辺どうしが接合されて、着用者が左右の足を挿通すべき筒状部が形成され、
前記の脇側裾周り形成接合辺（Ｆ）及び前記マチ側裾回り形成接合辺（Ｅ）の長さは、前記筒状部の下側端縁（Ｇ、Ｇ´）が着用時において少なくとも太ももの付け根を覆う長さとなるようにそれぞれ設定されており、
前記後身頃側部接合辺（Ｊ）及び前記後身頃部材対応接合辺（Ｈ）の少なくとも一方の辺の一部が、外側に突出した曲線であることを特徴とする。
【発明の効果】
【００１４】
本発明によれば、太ももの付け根を超える丈のショーツにおいて、裾部分の着くずれを効果的に防止することができるボトム衣類を提供可能である。
【図面の簡単な説明】
【００１５】
【図１】図１は、本発明の第１の実施形態に係るショーツ１００のパターンを示す図である。
【図２】図２（ａ）は、前記第１の実施形態に係るショーツ１００の斜視図であり、図２（ｂ）は、前記第１の実施形態に係るショーツ１００の左側面図である。
【図３】図３は、本発明の第１の実施形態に係る別のショーツ８００のパターンを示す図である。
【図４】図４は、本発明の第２の実施形態に係るショーツ２００のパターンを示す図である。
【図５】図５（ａ）は、前記第２の実施形態に係るショーツ２００の斜視図であり、図５（ｂ）は、前記第２の実施形態に係るショーツ２００の左側面図である。
【図６】図６は、本発明の第３の実施形態に係るショーツ３００のパターンを示す図である。
【図７】図７（ａ）は、前記第３の実施形態に係るショーツ３００の斜視図であり、図７（ｂ）は、前記第３の実施形態に係るショーツ３００の左側面図である。
【図８】図８は、本発明の第４の実施形態に係るショーツ４００のパターンを示す図である。
【図９】図９（ａ）は、前記第４の実施形態に係るショーツ４００の斜視図であり、図８（ｂ）は、前記第４の実施形態に係るショーツ４００の左側面図である。
【図１０】図１０は、本発明の第５の実施形態に係るショーツ５００のパターンを示す図である。
【図１１】図１１（ａ）は、前記第５の実施形態に係るショーツ５００の斜視図であり、図１１（ｂ）は、前記第５の実施形態に係るショーツ５００の左側面図である。
【図１２】図１２は、本発明の第６の実施形態に係るショーツ６００のパターンを示す図である。
【図１３】図１３（ａ）は、前記第６の実施形態に係るショーツ６００の斜視図であり、図１３（ｂ）は、前記第６の実施形態に係るショーツ６００の左側面図である。
【図１４】図１４は、本発明の第７の実施形態に係るショーツ７００のパターンを示す図である。
【図１５】図１５（ａ）は、前記第７の実施形態に係るショーツ７００の斜視図であり、図１５（ｂ）は、前記第７の実施形態に係るショーツ７００の左側面図である。
【図１６】図１６は、従来のショーツ１０００の一例を示す斜視図であり、図１６（ｂ）は、従来のショーツ１０００の左側面図である。
【発明を実施するための形態】
【００１６】
本発明のボトム衣類について、例をあげて説明する。尚、以下の説明において、特許請求の範囲に記載の符号と、対応するように便宜上、図面中に同一の符号を記載しているが、これにより、本発明は、以下の実施形態及び図面に限定及び制限されない。また、図面においては、説明の便宜上、各部のパーツ（部材）は適宜簡略化して示す場合があり、各部の寸法比等は、実際とは異なる場合がある。なお、下記図１〜図１６において、同一部分には同一の符号を付している。
【００１７】
以下、「前」「後」とは、着用時において、前身頃側を前、後身頃側を後とした場合の前後方向をいう。また、「左」「右」とは、前側から見た左右でも、後側から見た左右でも良い。
【００１８】
（第１の実施形態）
図１に、本発明の第１の実施形態に係るショーツ１００のパターンの図を示す。本実施形態のショーツ１００は、前身頃部材１０１、一対の後身頃部材１０２Ａ及びＢ、マチ部材１０３、一対の前裾周り形成部材１０４Ａ及びＢ、及び一対の後裾周り形成部材１０５Ａ及びＢを含む。前身頃部材１０１は、後端部に後端部接合辺（Ａ）を有する。マチ部材１０３は、前端部に前記後端部接合辺（Ａ）に対応する前端部接合辺（Ｂ）を有し、両側部にそれぞれマチ部材側部接合辺（Ｃ）を有する。後身頃部材１０２Ａ及びＢは、両側部にそれぞれ後身頃側部接合辺（Ｊ）を有する。前裾周り形成部材１０４Ａ及びＢは、それぞれマチ部材側部接合辺（Ｃ）に対応するマチ部材対応接合辺（Ｄ）を有する。後裾周り形成部材１０５Ａ及びＢは、後身頃側部接合辺（Ｊ）に対応する後身頃部材対応接合辺（Ｈ）を有する。そして、本発明の第１の実施形態に係るショーツ１００では、図２に示すように、前記対応する各接合辺どうしが接合されている。
【００１９】
また、前裾周り形成部材１０４Ａ及びＢは、それぞれ前身頃部材１０１の側部の辺の下端側Ｘに対応する前身頃部材側部下端側対応接合辺Ｘを有する。後裾周り形成部材１０５Ａ及びＢは、それぞれ、まず、前身頃部材１０１の側部の辺の上端側Ｙに対応する前身頃部材側部上端側対応接合辺Ｙを有する。そして、後裾周り形成部材１０５Ａ及びＢは、それぞれ、マチ部材の後端部の内、同図に示す対称線Ｌを基準とした片側の辺Ｚに対応するマチ部材後端部対応接合辺Ｚを有する。そして、本発明の第１の実施形態に係るショーツ１００では、図２に示すように、前記対応する各接合辺どうしが接合されている。但し、本発明において、前記前身頃部材側部下端側対応接合辺Ｘ、前身頃部材側部上端側対応接合辺Ｙ、及びマチ部材後端部対応接合辺Ｚは、必須の構成要素ではない。
【００２０】
本実施形態において、さらに、前裾周り形成部材１０４Ａ及び後裾周り形成部材１０５Ａは、それぞれマチ側裾周り形成接合辺（Ｅ）、及び前記マチ側裾周り形成接合辺（Ｅ）に対向する脇側裾周り形成接合辺（Ｆ）を有する。前裾周り形成部材１０４Ｂ及び後裾周り形成部材１０５Ｂについても同様である。ここでいう「対向する」とは、特に制限されないが、例えば、前記接合辺の少なくとも一部が、対向すればよい。そして、本発明の第１の実施形態に係るショーツ１００では、前記各マチ側裾周り形成接合辺（Ｅ）どうしが接合され、前記各脇側裾周り形成接合辺（Ｆ）どうしが接合される。これにより、図２のショーツ１００に示すように、着用者が左右の足を挿通すべき筒状部が形成される。そして、図１に示す前裾周り形成部材１０４Ａ（Ｂ）の裾周り形成辺（Ｇ）、及び後裾周り形成部材１０５Ａ（Ｂ）の裾周り形成辺（Ｇ´）が、図２のショーツ１００に示すように、前記筒状部の下側端縁（Ｇ＋Ｇ´）を形成する。
【００２１】
本実施形態において、脇側裾周り形成接合辺（Ｆ）及び前記マチ側裾回り形成接合辺（Ｅ）の長さは、図１のパターン図に示すように、下方向に伸長している。これにより、本実施形態に係るショーツ１００は、前記筒状部の下側端縁（Ｇ＋Ｇ´）が少なくとも着用者の太ももの付け根まで届くように構成される。
【００２２】
本実施形態において、図１のパターン図に示すように、後身頃側部接合辺（Ｊ）及び後身頃部材対応接合辺（Ｈ）の辺の一部は、外側に突出した曲線である。前記「突出した曲線」とは、特に制限されないが、例えば、鋭い弧を描く曲線であっても良いし、なだらかなカーブを描く曲線であっても良い。これにより、ショーツ１００における太もも裾部の立体形状は、非着用時において、足を上げた状態になる。前記「足を上げた状態」とは、特に制限されず、例えば、裾周りの開口面が、直立方向（下方向）よりも前側に配置されていることをいう。但し、同図に示すパターンでは、前記接合辺（Ｊ）及び接合辺（Ｈ）の辺の一部が、外側に突出した曲線であるが、本発明において、これに限定されず、前記接合辺（Ｊ）及び接合辺（Ｈ）の少なくとも一方の辺の一部が、外側に突出した曲線であれば良い。
【００２３】
以下、本実施形態に係るショーツ１００を着用した着用者が動作した際のショーツ１００の作用について、従来のショーツと比較しながら説明する。
【００２４】
図１６（ａ）は、従来のショーツ１０００の非着用時の立体形状の一例を示す斜視図であり、図１６（ｂ）は、前記ショーツ１０００の左側面図である。同図に示すショーツ１０００は、裾周りの開口面が、着用者の直立方向に対して略垂直方向に配置された構成をとる。前記構成の場合、前記ショーツ１０００を着用した着用者が、例えば、前かがみに身体を動かす、足を上げる、歩く等の動作をした場合には、前記ショーツ１０００の太もも裾部にずれ上がりが生じる。このため、着用者に不快感を与え、また、ヒップラインのシルエットが悪くなるという問題が生じる。
【００２５】
前記問題点に対し、本発明者らは、鋭意検討した結果、着用者が脚を動かす等の前記動作をした場合、着用者の太ももの裏側の皮膚が大きく伸び、前記皮膚の伸びにショーツの太もも裾部が追従できないことが、前記ずれ上がりの原因であることを突き止めた。そこで、本発明者らは、前記原因に鑑み、さらに鋭意検討した結果、一分丈ショーツの太もも裾部の立体構造を、足を上げた状態の立体構造にすることで、太もも裾部のずれ上がりが抑制できることを見出した。特に、臀部から太ももの付け根に該当する部分について、前記足を上げた状態の立体構造にすることが、前記ずれ上がりを抑制できる点で好ましいことを見出した。
【００２６】
本実施形態におけるショーツ１００における太もも裾部の立体形状は、前述の通り、非着用時において、足を上げた状態になる。これにより、着用者が前かがみに身体を動かす、足を上げる、歩く等の動作をした場合であっても、前記ずれ上がりが抑制される。このため、着用者に静止状態の着用感を維持するとともに、前記動作後であっても、ヒップラインを静止状態のヒップラインに維持する事が出来る。
【００２７】
本実施形態において、図１のパターン図に示すように、脇側裾周り形成接合辺（Ｆ）のうち、前記各部材が接合された状態の立体形状とした場合、位置α（鼠蹊部近傍）が底辺となるようにＵ字状にカーブしていることが好ましい。これにより図２のショーツ１００の立体構造において、太もも部分を圧迫し難くなるため好ましい。
【００２８】
本実施形態において、さらに、図１のパターン図に示すように、前記脇側裾周り形成接合辺（Ｆ）のうち、太ももの付け根部分より下側が互いに出っ張っている形状を取ることが好ましい。これにより、ショーツ１００の立体形状は、図２のショーツ１００の左側面図に示すように、略「Ｊ」の字形状になるため好ましい。前記略「Ｊ」字形状をとることにより、前記ずれ上がりをより抑制する事が出来る。
【００２９】
本実施形態において、図１に示すパターン図では、マチ部材の形状は、釣鐘形状をしている。ここでいう「釣鐘形状」とは、特に制限されないが、例えば、前端部が外側に突出した形状を取り、両側部が下方向に突出した形状ををいう。これにより、マチ部材の一部は、本実施形態に係るショーツ１００における裾部分の一部として構成されず、着用時において、着用者のフィット感が向上するため好ましい。但し、本実施形態において、前記マチ部材の形状は、釣鐘形状に限定されるものではない。
【００３０】
前記マチ部材の他の形状としては、例えば、図３のパターン図に示すマチ部材８０３が挙げられる。同図のマチ部材８０３は、前端部が略直線状であり、両側部の下端部が突き出た形状をとる。前記マチ部材８０３が、前記形状をとること以外は、図１のマチ部材１０３と同一である。また、図３のパターン図に示す前裾周り形成部材８０４Ａ及びＢは、それぞれ、前記マチ部材１０３の側部接合辺（Ｃ）に対応するマチ部材対応接合辺（Ｄ）が、前記側部接合辺の形状に合わせるように、下端部が突き出た形状をとる。そして、前記前裾周り形成部材８０４Ａ及びＢは、それぞれ、前記形状を取ること以外は、図１の前裾周り形成部材１０４Ａ及びＢと同一である。そして、後裾周り形成部材８０５Ａ及びＢは、それぞれ、マチ部材８０３の後端部Ｚ及び前記前裾周り形成部材の接合辺（Ｅ）の形状に対応するような形状をとる。そして、前記形状を取ること以外は、図１の後裾周り形成部材１０５Ａ及びＢと同一である。そして、同図のショーツ８００は、マチ部材８０３並びに前裾周り形成部材８０４Ａ及びＢが、前記形状をとること以外は、図１のショーツ１００と同一の構成をとる。
【００３１】
本実施形態において、前記裾の長さ（丈）は、少なくとも太ももの付け根まで覆えばよく、一分丈よりも長くても良く、短くても良い。前記裾の長さを長くする場合は、例えば、前記前裾周り形成接合辺（Ｅ）及び前記後裾周り形成接合辺（Ｆ）の長さを長くすればよい。前記裾の長さを短くする場合は、例えば、前記前裾周り形成接合辺（Ｅ）及び前記後裾周り形成接合辺（Ｆ）の長さを短くすればよい。
【００３２】
本実施形態において、前記各部材に使用できる生地は、特に制限されず、例えば、織物、編み物、不織布が挙げられる。さらに、好ましくは、ポリウレタンなどの弾性糸を含有する伸縮性を有する生地が挙げられる。
【００３３】
本実施形態において、前記後身頃部材１０２Ａ及びＢの各後身頃部が接合される辺（後中心辺）の形状は、図１に示すように、外側に凸の曲線状をしている。これにより、着用時において、後ろ中心部分を立体的な構成とすることが出来る。但し、本発明において、前記後中心辺の形状は、特に制限されず、例えば直線状を呈するものでもよい。
【００３４】
本実施形態において、図１に示す前記裾周り形成辺（Ｇ）及び（Ｇ´）は、直線状であるが、これに限定されず、例えば、カーブ形状、波形状であっても良い。また、前記裾形成辺の周りに、例えば、レース部材、ヘム部材、ゴム部材等を施しても良い。
【００３５】
本実施形態において、前記各部材の少なくとも二つの部材が一体的に形成されていても良い。具体的には、例えば、前記一対の後身頃部材１０２Ａ及びＢを一体的に形成しても良い。また、前記各部材の少なくとも一つの部材が、分離された複数の子部材から構成されており、前記複数の子部材を一体的に形成した場合、前記部材を構成しても良い。具体的には、例えば、前記前身頃部材１０１を、前記Ｌを分離線として分離したものを構成要素としても良い。
【００３６】
（第２の実施形態）
図４に、本発明の第２の実施形態に係るショーツ２００のパターンの図を示す。同図において、図１のショーツ１００の各部材と同一の構成をとる部材には、同一の符号をとる。
【００３７】
本実施形態のショーツ２００は、一対の前裾周り形成部材２０４Ａ及びＢ、一対の後身頃部材１０２Ａ及びＢ、マチ部材２０３、及び一対の後裾周り形成部材２０５Ａ及びＢを含む。前記マチ部材２０３は、前端部及び側部にかけての辺の少なくとも一部に、マチ部材接合辺（Ｏ）を有すること以外は、実施形態１のマチ部材１０３と同一の構成をとる。前記前裾周り形成部材２０４Ａは、実施形態１のショーツ１００における、前身頃部材１０１の対称線Ｌを基準とした右側部分と、前裾周り形成部材１０４Ａとが、一体形成された構成をとる。前記前裾周り形成部材２０４Ｂは、実施形態１のショーツ１００における、前身頃部材１０１の対称線Ｌを基準とした左側部分と、前裾周り形成部材１０４Ｂとが、一体形成された構成をとる。そして、各前裾周り形成部材２０４Ａ及びＢは、それぞれ対称辺ｈで接合される。前記前裾周り形成部材２０４Ａ及びＢは、それぞれ前記マチ部材接合辺（Ｏ）に対応するマチ部材対応接合辺（Ｐ）を有する。前記前裾周り形成部材２０４Ａ及びＢは、前記構成以外については、実施形態１の前裾周り形成部材１０４と同一の構成をとる。後裾周り形成部材２０５Ａ及びＢは、それぞれ前記マチ側裾周り形成接合辺（Ｅ）及び後身頃部材対応接合辺（Ｈ）に挟まれた部分の内、裾周り形成辺（Ｇ´）を含まない側が、一辺Ｗで構成されていること以外は、実施形態１の後裾周り形成部材１０５と同一の構成をとる。そして、本実施形態のショーツ２００は、前記前身頃部材１０１を有さず、前記前裾周り形成部材２０４Ａ及びＢ、前記マチ部材２０３、及び前記後裾周り形成部材２０５Ａ及びＢが、前記構成をとること以外は、実施形態１のショーツ１００と同様の構成をとる。
【００３８】
図５（ａ）に、本実施形態のショーツ２００の立体構造の斜視図を示す。同図のショーツ２００は、前身頃側に、前中心に接ぎ目（接合線）が一本のみ入っている。このような構成をとることにより、前中心側の接ぎ目の数を少なくすることができる。このため、より肌触りの良いショーツを提供する事が可能となる。また、同図（ｂ）に本実施形態のショーツ２００の立体構造の左側面図を示す。本実施形態においても、実施形態１の前記ショーツと同様に、後身頃側部接合辺（Ｊ）及び後身頃部材対応接合辺（Ｈ）の辺の一部は、外側に突出した曲線である。これにより、ショーツ２００における太もも裾部の立体形状は、非着用時において、足を上げた状態になる。このため、本実施形態においても、前記ずれ上がりを抑制可能となる。
【００３９】
本実施形態において、前記裾の長さ（丈）は、少なくとも太ももの付け根まで覆えばよく、一分丈よりも長くても良く、短くても良い。前記裾の長さを長くする場合は、例えば、前記前裾周り形成接合辺（Ｅ）及び前記後裾周り形成接合辺（Ｆ）の長さを長くすればよい。前記裾の長さを短くする場合は、例えば、前記前裾周り形成接合辺（Ｅ）及び前記後裾周り形成接合辺（Ｆ）の長さを短くすればよい。
【００４０】
（第３の実施形態）
図６に、本発明の第３の実施形態に係るショーツ３００のパターンの図を示す。同図において、図２のショーツ２００の各部材と同一の構成をとる部材には、同一の符号をとる。本実施形態のショーツ３００は、一対の後身頃部材１０２Ａ及びＢ、マチ部材２０３、及び一対の裾周り形成部材３０４Ａ及びＢを含む。前記裾周り形成部材３０４Ａ及びＢは、それぞれ、実施形態２の前裾周り形成部材２０４Ａ（Ｂ）及び後裾周り形成部材２０５Ａ（Ｂ）が、前記脇側裾周り形成接合辺（Ｆ）を境界線として一体成形された構成をとる。このため、前記裾周り形成部材３０４は、脇側裾周り形成接合辺（Ｆ）を有していない。また、前記裾周り形成部材３０４Ａ及びＢは、それぞれ、裾周りを形成するための対向する二つの裾周り形成接合辺（Ｑ）を有しており、前記ショーツ３００において、前記二つの裾周り形成接合辺（Ｑ）は、接合されている。本実施形態のショーツ３００は、前記裾周り形成部材が、前記構成をとること以外は、実施形態２のショーツ２００と同様の構成をとる。
【００４１】
図７（ａ）に、本実施形態のショーツ３００の立体構造の斜視図を示す。同図のショーツ２００は、脇側に、接ぎ目（接合線）のない構成をとる。このような構成をとることにより、より肌触りの良いショーツを提供する事が可能となる。また、図７（ｂ）に本実施形態のショーツ３００の立体構造の左側面図を示す。本実施形態においても、実施形態１及び２の前記ショーツと同様に、後身頃側部接合辺（Ｊ）及び後身頃部材対応接合辺（Ｈ）の辺の一部は、外側に突出した曲線である。これにより、ショーツ３００における太もも裾部の立体形状は、非着用時において、足を上げた状態になる。このため、本実施形態においても、前記ずれ上がりを抑制可能となる。
【００４２】
本実施形態において、さらに、裾周り形成接合辺（Ｑ）が接合された場合に裾周りを形成する裾周り形成辺（Ｇ）及び（Ｇ´）の少なくとも一部が、前記形成辺に対して略垂直方向に、スリットが形成されていることが好ましい。図４に示すように、例えば、前記下側端縁Ｇ及びＧ´の境界部分に前記スリットが形成されている。これにより、裾周りの径方向が細くなり、着用時にショーツがフィットするとともに、太ももを締め付けるため、よりずれ上がりを抑制でき、好ましい。
【００４３】
本実施形態において、前記裾の長さ（丈）は、少なくとも太ももの付け根まで覆えばよく、一分丈よりも長くても良く、短くても良い。前記裾の長さを長くする場合は、例えば、二つの裾周り形成接合辺（Ｑ）の長さを長くすればよい。前記裾の長さを短くする場合は、例えば、二つの裾周り形成接合辺（Ｑ）の長さを短くすればよい。
【００４４】
（第４の実施形態）
図８に、本発明の第４の実施形態に係るショーツ４００のパターンの図を示す。同図において、図１のショーツ１００の各部材と同一の構成をとる部材には、同一の符号をとる。本実施形態のショーツ４００は、前身頃部材４０１、一対の後身頃部材１０２Ａ及びＢ、マチ部材４０３、一対の前裾周り形成部材４０４Ａ及びＢ、及び一対の後裾周り形成部材４０５Ａ及びＢを含む。前記マチ部材４０３は、前記前端部が、略直線状であり、前記前端部に、マチ部材前端部接合辺（ａ）を有する。また、前記マチ部材４０３の側部Ｇ´´は、裾周り形成辺の一部となる。また、前記マチ部の後端部は、マチ側裾周り形成接合辺（ｄ）を有し、前裾側の裾形成辺となる。前記前身頃部材４０１は、後端部に前記マチ部材前端部接合辺（ａ）の中央部に対応する後端部接合辺（ｂ）を有すること以外は、実施形態１の前身頃部材１０１と同一である。前記一対の前裾周り形成部材４０４は、前記マチ部材前端部接合辺（ａ）の端部に対応するマチ部材対応接合辺（ｃ）を有すること以外は、実施形態１の前裾周り形成部材１０４と同一である。前記後裾周り形成部材４０５は、マチ側裾周り形成接合辺（ｄ）を有すること以外は、実施形態１の後裾周り形成部材４０５と同一である。本実施形態のショーツ４００は、前身頃部材４０１、マチ部材４０３、前裾周り形成部材４０４、及び後裾周り形成部材４０５が前記構成をとること以外は、実施形態１のショーツ１００と同様の構成をとる。
【００４５】
図９に、本実施形態のショーツ４００の立体構造の斜視図及び左側面図を示す。同図に示すように、前記マチ部材及び後裾周り形成部材の各マチ側裾周り形成接合辺（ｄ）どうし、及び前記前裾周り形成部材及び前記後裾周り形成部材の各脇側裾周り形成接合辺（Ｆ）どうしが接合されて、着用者が左右の脚を挿通すべき筒状部が形成される。そして、これにより、前裾周り形成部材の裾周り形成辺（Ｇ）、後裾周り形成部材の裾周り形成辺（Ｇ´）及びマチ部材の側部（Ｇ´´）により、前記筒状部の下側端縁（Ｇ＋Ｇ´＋Ｇ´´）が形成される。本実施形態においても、前記脇側裾周り形成接合辺（Ｆ）、前記マチ側裾周り形成接合辺（ｄ）、及び前記マチ部材前端部接合辺（ａ）の長さは、前記筒状部の下側端縁が着用時において少なくとも太ももの付け根部分を覆う長さとなるように設定されている。また、本実施形態においても、ショーツ４００における太もも裾部の立体形状は、非着用時において、足を上げた状態になっており、前記ずれ上がりを抑制できる。
【００４６】
本実施形態において、前記マチ部材４０３は、前記前端部が、略直線状であり、両側部の下端部が突き出た形状をとる。但し、本実施形態において、前記マチ部材の形状は、前記形状に限定されない。
【００４７】
本実施形態において、前記裾の長さ（丈）は、少なくとも太ももの付け根まで覆えばよく、一分丈よりも長くても良く、短くても良い。前記裾の長さを長くする場合は、例えば、マチ部材前端部接合辺（ａ）、マチ部材対応接合辺（ｃ）、マチ側裾周り形成接合辺（ｄ）、脇側裾周り形成接合辺（Ｆ）の長さを長くすればよく、前記裾の長さを短くする場合は、前記接合辺の長さを短くすればよい。
【００４８】
（第５の実施形態）
図１０に、本発明の第５の実施形態に係るショーツ５００のパターンの図を示す。同図において、図８のショーツ４００の各部材と同一の構成をとる部材には、同一の符号を付している。本実施形態のショーツ５００は、一対の前裾周り形成部材５０４Ａ及びＢ、一対の後身頃部材１０２Ａ及びＢ、マチ部材４０３、及び一対の後裾周り形成部材５０５Ａ及びＢを含む。前記前裾周り形成部材５０４Ａは、実施形態４のショーツ４００における、前身頃部材４０１の対称線Ｌを基準とした右側と、前裾周り形成部材４０４Ａとが、一体形成された構成をとる。前記前裾周り形成部材５０４Ｂは、実施形態４のショーツ４００における、前身頃部材４０１の対称線Ｌを基準とした左側と、前裾周り形成部材４０４Ｂとが、一体形成された構成をとる。そして、各前裾周り形成部材５０４Ａ及びＢは、それぞれ対称辺ｈで接合される。また、前記前裾周り形成部材５０４Ａ及びＢは、前記マチ部材接合辺（ａ）に対応するマチ部材対応接合辺（ｆ）を有する。前記前裾周り形成部材５０４Ａ（Ｂ）は、前記構成以外については、実施形態４の前裾周り形成部材４０４Ａ（Ｂ）と同一の構成をとる。後裾周り形成部材５０５Ａ（Ｂ）は、前記後身頃部材側部接合辺（Ｈ）及び脇側裾周り形成接合辺（Ｆ）に挟まれた部分の内、裾周り形成辺（Ｇ´）を含まない側が、一辺で構成されていること以外は、実施形態４の後裾周り形成部材４０５Ａ（Ｂ）と同一の構成をとる。そして、本実施形態のショーツ５００は、前記前裾周り形成部材５０４Ａ及びＢ、及び前記後裾周り形成部材５０５Ａ及びＢが、前記構成をとること以外は、実施形態４のショーツ４００と同様の構成をとる。
【００４９】
図１１（ｂ）に本実施形態のショーツ５００の立体構造の左側面図を示す。本実施形態においても、実施形態１の前記ショーツと同様に、後身頃側部接合辺（Ｊ）及び後身頃部材対応接合辺（Ｈ）の辺の一部は、外側に突出した曲線である。これにより、ショーツ３００における太もも裾部の立体形状は、非着用時において、足を上げた状態になる。このため、本実施形態においても、前記ずれ上がりを抑制可能となる。
【００５０】
図１１（ａ）に、本実施形態のショーツ５００の立体構造の斜視図を示す。同図のショーツ５００は、前身頃側に、前中心に接ぎ目（接合線）が一本のみ入っている。このような構成をとることにより、前中心側の接ぎ目の数を少なくすることができる。このため、より肌触りの良いショーツを提供する事が可能となる。
【００５１】
本実施形態において、前記裾の長さ（丈）は、少なくとも太ももの付け根まで覆えばよく、一分丈よりも長くても良く、短くても良い。前記裾の長さを長くする場合は、例えば、マチ部材前端部接合辺（ａ）、マチ部材対応接合辺（ｆ）及びマチ側裾周り形成接合辺（ｄ）の長さを長くすればよい。前記裾の長さを短くする場合は、例えば、マチ部材前端部接合辺（ａ）、マチ部材対応接合辺（ｆ）及びマチ側裾周り形成接合辺（ｄ）の長さを短くすればよい。
【００５２】
（第６の実施形態）
図１２に、本発明の第６の実施形態に係るショーツ６００のパターンの図を示す。同図において、図１０のショーツ５００の各部材と同一の構成をとる部材には、同一の符号をとる。本実施形態のショーツ６００は、一対の後身頃部材１０２Ａ及びＢ、マチ部材４０３、及び一対の裾周り形成部材６０４Ａ及びＢを含む。前記裾周り形成部材６０４Ａ（Ｂ）は、実施形態５の前裾周り形成部材５０４Ａ（Ｂ）及び後裾周り形成部材５０５Ａ（Ｂ）が、前記脇側裾周り形成接合辺（Ｆ）を境界線として一体形成されている。このため、前記裾周り形成部材６０４は、脇側裾周り形成接合辺（Ｆ）を有しておらず、裾周りを形成するための対向する二つの裾周り形成接合辺（ｄ）を有しており、前記二つの裾周り形成接合辺（ｄ）は、接合されている。本実施形態のショーツ６００は、裾周り形成部材が、前記構成をとること以外は、実施形態６のショーツ５００と同様の構成をとる。
【００５３】
図１３（ａ）及び（ｂ）に本実施形態のショーツ６００の立体構造の斜視図及び側面図を示す。本実施形態においても、実施形態５の前記ショーツと同様に、後身頃側部接合辺（Ｊ）及び後身頃部材対応接合辺（Ｈ）の辺の一部は、外側に突出した曲線である。これにより、ショーツ６００における太もも裾部の立体形状は、非着用時において、足を上げた状態になる。このため、本実施形態においても、前記ずれ上がりを抑制可能となる。
【００５４】
本実施形態において、さらに、裾周り形成接合辺（ｄ）が接合された場合に裾周りを形成する裾周り形成辺（Ｇ）及び（Ｇ´）の少なくとも一部が、前記形成辺に対して略垂直方向に、スリットが形成されていることが好ましい。これにより、裾周りの径方向が細くなり、着用時にショーツがフィットするとともに、太ももを締め付けるため、よりずれ上がりを抑制でき、好ましい。
【００５５】
本実施形態において、前記裾の長さ（丈）は、少なくとも太ももの付け根まで覆えばよく、一分丈よりも長くても良く、短くても良い。前記裾の長さを長くする場合は、例えば、マチ部材前端部接合辺（ａ）、マチ部材対応接合辺（ｆ）及びマチ側裾周り形成接合辺（ｄ）の長さを長くすればよい。前記裾の長さを短くする場合は、例えば、マチ部材前端部接合辺（ａ）、マチ部材対応接合辺（ｆ）及びマチ側裾周り形成接合辺（ｄ）の長さを短くすればよい。
【００５６】
（第７の実施形態）
図１４に、本発明の第７の実施形態に係るショーツ７００のパターンの図を示す。同図において、図３のショーツ８００の各部材と同一の構成をとる部材には、同一の符号をとる。
【００５７】
本実施形態のショーツ７００は、マチ及び前身頃一体部材７０１、一対の後身頃部材１０２Ａ及びＢ、一対の前裾周り形成部材８０３Ａ及びＢ，並びに一対の後裾周り形成部材１０５Ａ及びＢを含む。前記マチ及び前身頃一体部材７０１は、図３に示す前身頃部材と、マチ部材とが一体形成されたものである。前記マチ及び前身頃一体部材は、両側部に側部接合辺（Ｓ）及び上端側（Ｙ）を有する。前記前裾周り形成部材は、前記側部接合辺（Ｓ）に対応する一体部材対応接合辺（Ｔ）を有すること以外は、図３の前裾周り形成部材と同一の構成をとる。そして、前記側部接合辺（Ｐ）及び一体部材対応接合辺（Ｑ）が接合されている。そして、本実施形態のショーツ７００は、このような構成をとること以外は、図３に示すショーツ８００と同一の構成をとる。尚、本実施形態では、前記マチ及び前身頃一体部材は、これに限定されず、例えば、実施形態１における図１の前身頃部材及びマチ部材を一体的に形成されたものであっても良い。
【００５８】
図１５（ａ）に、本実施形態のショーツ７００の立体構造の斜視図を示す。同図のショーツ７００は、前身頃側後端部とマチ部前端部との接ぎ目（接合線）がない。このような構成をとることにより、より肌触りの良いショーツを提供する事が可能となる。また、同図（ｂ）に本実施形態のショーツ７００の立体構造の左側面図を示す。本実施形態においても、実施形態１の前記ショーツと同様に、後身頃側部接合辺（Ｊ）及び後身頃部材対応接合辺（Ｈ）の辺の一部は、外側に突出した曲線である。これにより、ショーツ７００における太もも裾部の立体形状は、非着用時において、足を上げた状態になる。このため、本実施形態においても、前記ずれ上がりを抑制可能となる。
【００５９】
本実施形態において、前記裾の長さ（丈）は、少なくとも太ももの付け根まで覆えばよく、一分丈よりも長くても良く、短くても良い。前記裾の長さを長くする場合は、例えば、前記前裾周り形成接合辺（Ｅ）及び前記後裾周り形成接合辺（Ｆ）の長さを長くすればよい。前記裾の長さを短くする場合は、例えば、前記前裾周り形成接合辺（Ｅ）及び前記後裾周り形成接合辺（Ｆ）の長さを短くすればよい。
【００６０】
以上、実施形態の具体例として、ショーツを挙げて本発明を説明したが、本発明のボトム衣類は、これらの具体例で記載されたもののみに限定されるものでなく、種々の態様が可能である。例えば、上記の実施形態のような衣類以外にも、スパッツ、ガードル、ボディスーツ等のファンデーション衣類や、水着、レオタード、スポーツ衣類、アウターなど、その他各種の衣類に適用できる。また、本発明は、デイリー用のショーツのみでなく、例えば、生理用ショーツ、軽失禁防止用ショーツにも適用できる。
【産業上の利用可能性】
【００６１】
本発明のボトム衣類は、ずれ上がりを防止可能であり、その用途は限定されず広い分野で使用することができる。
【符号の説明】
【００６２】
１００、２００、３００、４００、５００、６００、７００、８００、１０００  ショーツ
１０１、４０１  前身頃部材
１０２Ａ、１０２Ｂ、２０２Ａ、２０２Ｂ、８０４Ａ、８０４Ｂ  後身頃部材
１０３、２０３、４０３、８０３  マチ部材
１０４Ａ、１０４Ｂ、２０４Ａ、２０４Ｂ、４０４Ａ、４０４Ｂ、５０４Ａ、５０４Ｂ  前裾周り形成部材
１０５Ａ、１０５Ｂ、２０５Ａ、２０５Ｂ、４０５Ａ、４０５Ｂ、５０５Ａ、５０５Ｂ  後裾周り形成部材
３０４，６０４  裾周り形成部材
Ａ      後端部接合辺
Ｂ      前端部接合辺
Ｃ      マチ部材側部接合辺
Ｄ      マチ部材対応接合辺
Ｅ      マチ側裾周り形成接合辺
Ｆ      脇側裾周り形成接合辺
Ｇ、Ｇ´、Ｇ´´  裾周り形成辺
Ｈ      後身頃部材対応接合辺
Ｊ      後身頃側部接合辺
Ｌ      対称線
Ｏ      マチ部材接合辺
Ｐ      マチ部材対応接合辺
Ｑ      裾周り形成接合辺
Ｘ      前身頃部材側部下端側対応接合辺
Ｙ      前身頃部材側部上端側対応接合辺
Ｚ      マチ部材後端部対応接合辺
ａ      マチ部材前端部接合辺
ｂ      後端部接合辺
ｃ      マチ部材対応接合辺
ｄ      マチ側裾周り形成接合辺
ｆ      マチ部材対応接合辺
α      鼠蹊部近傍
ｈ      対称辺
【図１】
2015212436.tif 000003
【図２】
2015212436.tif 000004
【図３】
2015212436.tif 000005
【図４】
2015212436.tif 000006
【図５】
2015212436.tif 000007
【図６】
2015212436.tif 000008
【図７】
2015212436.tif 000009
【図８】
2015212436.tif 000010
【図９】
2015212436.tif 000011
【図１０】
2015212436.tif 000012
【図１１】
2015212436.tif 000013
【図１２】
2015212436.tif 000014
【図１３】
2015212436.tif 000015
【図１４】
2015212436.tif 000016
【図１５】
2015212436.tif 000017
【図１６】
2015212436.tif 000018